(57)【要約】      （修正有）【課題】船釣りに用いられている太刀魚釣りのテンヤを提供する。【解決手段】大型太刀魚針の横軸６の一端をおもり１の内部に固定して、他の端は餌のイワシを水平に保持した時を想定して頭と背中と尻尾のくびれた位置に相当する緩く弧を描く形状を前記、大型太刀魚針の横軸６に写し取り成型して真下に折り、さらに直角に曲げて懐を深くとった針先５を設け、さらに一端をＯリング状にした真直刺し針１０を設け、前記、真直刺し針１０のＯリングにＵ字型部品１１を通し、前記、大型太刀魚針の横軸６がおもり１から外に出た直後の前記、大型太刀魚針の横軸６に上向きに接着することを特徴とする刺し針付き太刀魚テンヤ。【選択図】図１
2014204710.tif 000002
【特許請求の範囲】
【請求項１】
大型太刀魚針の横軸の一端をおもり内部に固定して前記、大型太刀魚針の横軸の他の端は餌のイワシを水平に保持した時を想定して頭と背中と尻尾のくびれた位置に相当する緩く弧を描く形状を前記、大型太刀魚針の横軸に写し取り成型して真下に折り、さらに直角に曲げて懐を深くとった針先を設け、さらに一端をＯリング状にした真直刺し針を設け、上記、真直刺し針のＯリングにＵ字型部品を通し、前記、大型太刀魚針の横軸がおもり内部から外に出た直後の前記、大型太刀魚針の横軸に上向きに接着することを特徴とする刺し針付き太刀魚テンヤ。
【請求項２】
大型太刀魚針の横軸のイワシの背中に相当する位置に釘状突起物を下向きに２箇所設置して、さらに前記、大型太刀魚針の横軸のイワシの尻尾のくびれた部分に相当する位置にＵ字型部品を下向きに接着することを特徴とする請求項１記載の刺し針付き太刀魚テンヤ。
【発明の詳細な説明】
【技術分野】
【０００１】  本発明は、船釣りに用いられている太刀魚釣りのテンヤに関する。
【背景技術】
【０００２】  従来から用いられている太刀魚テンヤの構造は、図５に示すように太刀魚針の針先５を下側に向け大型太刀魚針の横軸６をおもり１に取り付け、大型太刀魚針の横軸６の上向きに釘状突起物７を取り付け、おもり１の上側フック２に針金８の一端を結びつけた物である。図６は釘状突起物７に餌のイワシ９の胴の下側部分を刺して乗せた後、直ちに餌のイワシ９の全体に針金８で計１０回程度、大型太刀魚針の横軸６の上に沿ってグルグル巻き付け、この針金８の一端を下部フック３に留めてずれ落ちないようにしている。おもり１の上側フック２に釣竿からの幹糸と連結して海底に沈める。【０００３】  海中で太刀魚は立ち泳ぎをしており、上にいる魚を下から襲って食べる習性がある。海中の仕掛けについては、図６に示すように大型太刀魚針の横軸６に針金８でぐるぐる巻きにされた丸太棒状の餌のイワシ９を仕掛けの下側から回り込んで鋭い歯で噛みつき、その時のアタリで釣り人は竿先をシャクリ、太刀魚の頭部に針先５を貫通させ釣り上げている。しかし丸太棒状の不自然な餌のイワシ９や特異な太刀魚針の横軸６を見て古参で馴れた太刀魚や食欲が余りない時などは、危険予知能力を最大限に働かせて餌のイワシ９に食いつかない場合が多い。これが釣れにくい原因となっている。
【先行技術文献】
【０００４】
【特許文献】
【特許文献】  特開２００３−２３０３３０号公報
【発明の概要】
【発明が解決しようとする課題】
【０００５】  上述のごとく従来の太刀魚テンヤ仕掛けは、高い視力を有している海中の太刀魚の目線で下から上を見上げると、最初に大型太刀魚針の横軸６が目に入ってくる。その上に針金８で上記、大型太刀魚針の横軸６にぐるぐる巻きにされた丸太棒状の餌のイワシ９が乗っている事に気づく。この状態では太刀魚の危険予知機能を働かせる結果となり、釣れにくくしている原因となっている。さらに針金８でぐるぐる巻いている、この巻き方は頭から尻尾まで目一杯巻く、または半分ぐらい巻くとか、人によって巻き方が千差万別で誰がやっても上手下手の差の無い、餌のイワシ９を自然の姿のままで太刀魚にアピールすることが求められる。これを簡単な方法で対処可能なように、その商品の製造方法を提供することを目的としている。
【課題を解決するための手段】
【０００６】  上述の目的を達成するために、図１と図２に示すように大型太刀魚針の横軸６の一端をおもり１の内部に固定して前記、大型太刀魚針の横軸６の他の端は餌のイワシ９を水平に保持した時を想定して頭と背中と尻尾のくびれた位置に相当する緩く弧を描く形状を前記、大型太刀魚針の横軸６に写し取り成型して真下に折り、さらに直角に曲げて懐を深くとった針先５を設け、さらに一端をＯリング状にした真直刺し針１０を設け、上記、真直刺し針１０のＯリングにＵ字型部品１１を通し、前記、大型太刀魚針の横軸６がおもり１から外に出た直後の前記、大型太刀魚針の横軸６に上向きに接着することを特徴とする刺し針付き太刀魚テンヤ。【０００７】  大型太刀魚針の横軸６のイワシ９の背中に相当する位置に釘状突起物７を下向きに２箇所設置して、さらに前記、大型太刀魚針の横軸６のイワシ９の尻尾のくびれた部分に相当する位置にＵ字型部品１１を下向きに接着することを特徴とする請求項１記載の刺し針付き太刀魚テンヤ。
【発明の効果】
【０００８】  図２はイワシ９の腹を下にして真直刺し針１０を口の中へ挿入し、脊髄に沿って尻尾まで真直刺し針の一端にあるＯリングに到るまで目一杯刺し込み、次にイワシ９の背中を釘状突起物７の根元に向け押し当てて刺し、一端をＵ字型部品１１に留めた針金８で餌のイワシ９の尻尾のくびれた部分を大型太刀魚針の横軸６にしっかり２〜３回巻きつけ、針金８の端をＵ字型部品１１に回して固定する。これで餌となるイワシ９の頭や腹は身体内部を通っている真直刺し針１０で真直ぐな形に固定され、さらにイワシ９の背中に釘状突起物７が突き刺さって回転を防止、大型太刀魚針の横軸６にしっかり固定できる。仕掛けに装着されたイワシ９は従来、見られたような針金８でグルグル巻きによる変形は全く無くなり、ふっくらとした自然のままの姿で対応できるようになった。またイワシ９のお腹の回りには針金等の金属は無いので、従来の仕掛けを見て危険予知能力を働かせて逃げていたような古参の太刀魚の警戒心を取り除く効果がある。また誰が実施しても餌のイワシ９の装着は同じように出来上がる特徴がある。
【図面の簡単な説明】
【０００９】
【図１】本発明の刺し針付き太刀魚テンヤの側面図である。
【図２】餌のイワシを装着した本発明の刺し針付き太刀魚テンヤの側面図である。
【図３】真直刺し針の一端にあるＯリングはＵ字型部品を介して大型太刀魚針の横軸に接着した拡大斜視図である。
【図４】大型太刀魚針の横軸の尻尾に相当するくびれた部分にＵ字型部品を取り付けした拡大斜視図である。
【図５】従来の太刀魚テンヤの側面図である。
【図６】従来の太刀魚テンヤにイワシを装着した側面図である。
【発明を実施するための形態】
【００１０】  以下、本発明の実施の形態を図面に基づき詳細に説明する。
【００１１】  図１は本発明の刺し針付き太刀魚テンヤの側面図である。乗合船で支給される餌のイワシ９は長さが１１センチ前後であるが本発明の真直刺し針１０をイワシ９の口の中から脊髄に沿って内部を真直刺し針１０の一端にあるＯリングに到るまで目一杯刺し込み、針金８で大型太刀魚針の横軸６の尻尾のくびれた部分の横軸６に２〜３回巻きつけて固定する。本発明の特徴はイワシ９の頭、背中、尻尾のくびれた位置に相当する緩く弧を描く形状を大型太刀魚針の横軸６に写し取り成型しているが、この時のイワシ９の大きさ、長さは乗合船で支給される範囲であれば少々大きくても上記、大型太刀魚針の横軸６の緩く弧を描く形状はそのまま利用することが可能で、はみ出る尻尾部分が気になれば切断しても差し支えない。真直刺し針１０の長さは水平位置にして大型太刀魚針の横軸６の縦線に最大、交わらない長さが適当である。真直刺し針１０の太さは刺し針としては細いのが良いように思われるが、この場合、太刀魚が餌と内部にある刺し針に喰いつき、その刺し針がそのアタリを竿先に伝える働きをするので１．５〜２．０ミリ程度が良い。
【００１２】  図２は本発明のイワシ装着後の側面図である。下から上を見上げた太刀魚の目線は大型太刀魚針の横軸６とグルグル巻きの針金８が無くなり、本発明の仕掛けは自然のままのふっくらとした姿のイワシ９であるので危険予知の減少効果がある。
【００１３】  図３は一端をＯリング状にした真直刺し針１０を設けた上記、ＯリングにＵ字型部品１１を通し、大型太刀魚針６がおもり１から外に出た直後の前記、大型太刀魚針の横軸６に上向きに接着した拡大斜視図である。
【００１４】  図４はイワシ９の尻尾のくびれた位置に相当する大型太刀魚針の横軸６の位置にＵ字型部品を下向きに接着した拡大斜視図である。針金８の一端をＵ字型部品に結び、イワシ９の体内にある真直刺し針１０とイワシ９と大型太刀魚針の横軸６の３種を針金８で２〜３回巻きつけ針金８の端をＵ字型部品に固定する。
【００１５】  図５は従来の太刀魚テンヤの側面図である。
【００１６】  図６は従来の太刀魚テンヤのイワシ装着後の側面図である。
【産業上の利用可能性】
【００１７】  本発明は多くの人々が仕事上で発生するストレスの発散、解消に利用しているが、船の太刀魚釣りのレジャー産業の分野で利用することができる。
【符号の説明】
【００１８】  １    おもり
２    上部フック
３    下部フック
４    大型太刀魚針
５    針先
６    大型太刀魚針の横軸
７    釘状突起物
８    針金
９    イワシ
１０  真直刺し針
１１  Ｕ字型部品
【図１】
2014204710.tif 000003
【図２】
2014204710.tif 000004
【図３】
2014204710.tif 000005
【図４】
2014204710.tif 000006
【図５】
2014204710.tif 000007
【図６】
2014204710.tif 000008